(57)【要約】【課題】  エンコーダの設置個数を少なくして構成の簡素化を可能にした映像記録装置及びそれを内蔵したテレビ受信機を提供する。【解決手段】  ２個のチューナー１１，１２と、ハードディスク３２と、２個のチューナー１１，１２からの映像信号及び音声信号をそれぞれ圧縮して合成する映像音声合成部３０と、映像音声合成部３０により合成された映像信号及び音声信号をそれそれエンコードしてハードディスク３２に記憶する映像音声圧縮エンコーダ３１と、ハードディスク３２に格納された映像信号及び音声信号を読み出してデコードする映像音声デコーダ３２と、映像音声デコーダ３２から得られた映像信号及び音声信号の内、選択されたチャンネルに対応した映像信号及び音声信号を分離して出力する映像音声分離部３４とを備えたものである。【選択図】  図１
2006041838.tif 000002
【特許請求の範囲】
【請求項１】
複数のチューナーと、
記憶手段と、
前記複数のチューナーからの映像信号を圧縮して合成し、１チャンネル分に相当する映像信号を生成する映像合成手段と、
該映像合成手段により合成された映像信号をエンコードして前記記憶手段に記憶する映像エンコーダと
を備えたことを特徴とする映像記録再生装置。
【請求項２】
前記記憶手段に記憶された映像信号を読み出してデコードする映像デコーダと、
前記映像デコーダから得られた映像信号の内、選択されたチャンネルに対応した映像信号を分離して出力する映像分離手段と
を備えたことを特徴とする映像記録再生装置。
【請求項３】
複数のチューナーと、
記憶手段と、
前記複数のチューナーからの映像信号及び音声信号を圧縮して合成し、１チャンネル分に相当する映像信号及び音声信号を生成する映像音声合成手段と、
該映像合成手段により合成された映像信号及び音声信号をエンコードして前記記憶手段に記憶する映像音声エンコーダと、
前記記憶手段に記憶された映像信号及び音声信号を読み出してデコードする映像音声デコーダと、
前記映像音声デコーダから得られた映像信号及び音声信号の内、選択されたチャンネルに対応した映像信号及び音声信号を分離して出力する映像音声分離手段と
を備えたことを特徴とする映像記録再生装置。
【請求項４】
２個のチューナーと、
記憶手段と、
前記２個のチューナーからの映像信号及び音声信号をそれぞれ圧縮して合成し、１チャネルル分に相当する映像信号及び音声信号を生成する映像音声合成手段と、
該映像音声合成手段により合成された映像信号及び音声信号をエンコードして前記記憶手段に格納する映像音声エンコーダと、
前記記憶手段に格納された映像信号及び音声信号を読み出してデコードする映像音声デコーダと、
前記映像音声デコーダから得られた映像信号及び音声信号の内、選択されたチャンネルに対応する映像信号及び音声信号を分離して出力する映像音声分離手段と
を備えたことを特徴とする映像記録再生装置。
【請求項５】
前記映像音声合成手段は映像信号を水平方向に圧縮して合成することを特徴とする請求項３又は４記載の映像記録再生装置。
【請求項６】
前記映像音声合成手段は、各チャンネルの音声信号をモノラル信号に変換してＬチャンネル及びＲチャンネルの音声信号とする請求項３〜５の何れかに記載の映像記録再生装置。
【請求項７】
前記映像音声分離手段は、前記映像音声デコーダから得られた音声信号の内、Ｌチャンネル又はＲチャンネルの音声信号を、選択されたチャンネルに応じて選択して出力することを特徴とする請求項６記載の映像記録再生装置。
【請求項８】
請求項１〜７の何れかに記載の映像記録再生装置を内蔵したことを特徴とするテレビ受信機。
【発明の詳細な説明】
【技術分野】
【０００１】
本発明は、多チャンネルの映像記録再生装置及びそれを内蔵したテレビ受信機に関する。
【背景技術】
【０００２】
近年、ハードディスクやＤＶＤに映像を記録するビデオレコーダが普及してきているが、同じ時間帯に録画したい番組が重なった場合には、何れか一方の番組しか保存できない。そこで、ハードディスク又はＤＶＤと従来型のテープ記録装置を備え、２つのチューナーで同時に２つの番組を録画できる機器が販売されているが、従来型のテープ記録装置はディスク装置に比べてその利便性がかなり劣る。特にメディアを全く意識せずに済むハードディスクの録画に比べて、テープの準備、頭出しが必要であり、上書きに注意しなければならない。このようなことから、チューナーとエンコーダーとの組を複数を備え、同時に録画する多チャンネル記録再生装置が提案されている（例えば特許文献１）。
【特許文献１】特開平９−９１９３号公報
【発明の開示】
【発明が解決しようとする課題】
【０００３】
上記の従来の多チャンネル記録再生装置（特許文献１）においては、複数のチューナーに対応してそれぞれエンコーダーが設けられているが、動画を圧縮するエンコーダーは高価であり、たまにしか行わない同時記録のために機器の価格が高くなってしまうという問題点があった。
【０００４】
本発明は、このような問題点を解決するためになされたものであり、エンコーダの設置個数を少なくして構成の簡素化を可能にした映像記録再生装置及びそれを内蔵したテレビ受信機を提供することを目的とする。
【課題を解決するための手段】
【０００５】
本発明に係る映像記録再生装置は、複数のチューナーと、記憶手段と、前記複数のチューナーからの映像信号を圧縮して合成し、１チャンネル分に相当する映像信号を生成する映像合成手段と、該映像合成手段により合成された映像信号をエンコードして前記記憶手段に記憶する映像エンコーダとを備えたものである。本発明においては、複数のチャンネルの映像信号を圧縮して合成し１チャンネル分の映像信号を生成し、その映像信号を映像エンコーダによりエンコードしてから記憶手段（例えばハードディスク）に記憶するようにしたので、エンコーダの設置個数が１個で済む。このため、装置の簡素化が図られ、製品の低価格化が可能になっている。
【０００６】
本発明に係る映像記録再生装置は、前記記憶手段に記憶された映像信号を読み出してデコードする映像デコーダと、前記映像デコーダから得られた映像信号の内、選択されたチャンネルに対応した映像信号を分離して出力する映像分離手段とを備えたものである。本発明においては、記憶手段に複数のチャンネルの映像信号が合成されて１チャンネル分の映像信号として記憶されるが、再生時においては、選択されたチャンネルに対応した映像信号を分離して出力するようにしたので、所望のチャンネル番組を楽しむことができる。
【０００７】
本発明に係る映像記録再生装置は、複数のチューナーと、記憶手段と、前記複数のチューナーからの映像信号と音声信号とをそれぞれ圧縮して合成し、１チャンネル分に相当する映像信号及び音声信号を生成する映像音声合成手段と、該映像音声合成手段により合成された映像信号及び音声信号をエンコード（符合化）し、前記記憶手段に記憶する映像音声エンコーダと、前記記憶手段に記憶された映像信号及び音声信号を読み出してデコード（復号化）する映像音声デコーダと、前記映像音声デコーダから得られた映像信号及び音声信号の内、選択されたチャンネルに対応した映像信号及び音声信号を分離して出力する映像音声分離手段とを備えたものである。本発明においては、複数のチャンネルの映像信号を圧縮して合成するとともに、音声信号を圧縮して合成し、その合成された１チャンネル分の映像信号及び音声信号を映像音声エンコーダによりエンコードしてから記憶手段（例えばハードディスク）に記憶するようにしたので、エンコーダの設置個数が１個で済む。このため、装置の簡素化が図られ、製品の低価格化が可能になっている。
【０００８】
本発明に係る映像記録再生装置は、２個のチューナーと、記憶手段と、前記２個のチューナーからの映像信号及び音声信号をそれぞれ圧縮して合成し、１チャンネル分に相当する映像信号及び音声信号を生成する映像音声合成手段と、該映像音声合成手段により合成された映像信号及び音声信号をエンコードして前記記憶手段に記憶する映像音声エンコーダと、前記記憶手段に記憶された映像信号及び音声信号を読み出してデコードする映像音声デコーダと、前記映像音声デコーダから得られた映像信号及び音声信号の内、選択されたチャンネルに対応した映像信号及び音声信号を分離して出力する映像音声分離手段と備えたものである。本発明においては、記憶時には、２個のチャンネルの映像信号を圧縮して合成するとともに、２個のチャンネルの音声信号を圧縮して合成し、１チャンネル分の映像信号及び音声信号を生成し、その映像信号及び音声信号を映像音声エンコーダによりエンコードしてから記憶手段に記憶するようにしたので、エンコーダの設置個数が１個で済む。このため、装置の簡素化が図られ、製品の低価格化が可能になっている。
【０００９】
本発明に係る映像記録再生装置において、前記映像音声合成手段は映像信号を水平方向に圧縮して合成する。
【００１０】
本発明に係る映像記録再生装置において、前記映像音声合成手段は、各チャンネルの音声信号をモノラル信号に変換してＬチャンネル及びＲチャンネルの音声信号とする。本発明においては、各チャンネルの音声信号をモノラル信号に変換してＬチャンネル及びＲチャンネルの音声信号とするようにしたので、記憶時には従来の記憶方法をそのまま用いることができ、また、その処理も簡単なものとなっている。
【００１１】
本発明に係る映像記録再生装置において、前記映像音声分離手段は、前記映像音声デコーダから得られた音声信号の内、Ｌチャンネル又はＲチャンネルの音声信号を、選択されたチャンネルに応じて選択して出力する。本発明においては、Ｌチャンネル又はＲチャンネルの音声信号を選択されたチャンネルに応じて選択して出力するようにしたので、音声信号の分離処理が簡単なものとなっている。
【００１２】
本発明に係るテレビ受信機は、上記の映像記録再生装置を内蔵したものであり、エンコーダ及びデコーダの設置個数が少なく、低コストの製品を実現している。
【発明を実施するための最良の形態】
【００１３】
実施形態１．
図１は本発明の実施形態１に係るデジタル放送受信装置の構成を示すブロック図であり、映像記録再生装置が一体化されて組み込まれている。このデジタル放送受信装置１は、アンテナ１０、チューナー１１，１２、デマルチプレクサ１３，１４、映像信号処理回路１５，１６、音声信号処理回路１７，１８、描画処理回路１９、映像出力回路２０、表示デバイス２１、音声出力回路２２及びスピーカー２３を備えている。このデジタル放送受信装置１は、更に、映像音声合成部３０、映像音声圧縮エンコーダ３１、ハードディスク３２、映像音声デコーダ３３、映像音声分離部３４を備えており、また、操作部４１、インターフェース（ＩＦ）４２、リモートコントローラ４３、受信部４４及び制御部４５を備えている。そして、チューナー１１〜映像出力回路２０、音声出力回路２２、映像音声合成部３０〜映像音声分離部３４及び制御部４５はバス４６を介して接続されており、制御部４５により回路全体が制御されている。制御部４５は、ＣＰＵ４５１、ＣＰＵ４５１が実行すべきプログラムや固定データなどが書き込まれたＲＯＭ４５２及びＣＰＵ４５１のワークエリアなどとして機能するＲＡＭ４５３によって構成されている。なお、操作部４１及びリモートコントローラ４３は、通常のテレビのキーの他に、再生画像選択信号等の指令信号出力するためのキー等（図示せず）が設けられているものとする。
【００１４】
なお、本実施形態１の映像音声合成部３０は本発明の映像合成手段又は映像音声合成手段に、映像音声圧縮エンコーダ３１は本発明の映像エンコーダ又は映像音声エンコーダに、ハードディスク３２は本発明の記憶手段に、映像音声デコーダは本発明の映像デコーダ又は映像音声デコーダに、映像音声分離部３４は本発明の映像分離手段又は映像音声分離手段にそれぞれ相当するものとする。
【００１５】
図１のデジタル放送受信装置１において、利用者が操作部４１又はリモートコントローラ４３を操作して見たいチャンネルを選択すると、そのチャンネルに相当する選局信号が発生し、制御部４５はその選局信号をインターフェース４２又は受信部４４及びバス４６を介して受信し、制御部４５がその選局信号に基づいて例えばチューナー１１に選局信号を出力することによりチューナー１１にそのチャンネルが設定される。アンテナ１０は、周波数変換器を備えており、例えばＣＳ（Ｃｏｍｍｕｎｉｃａｔｉｏｎ  Ｓａｔｅｌｌｉｔｅ）から送られてくるディジタル放送信号を受信して、周波数変換した信号をチューナー１１に出力する。チューナー１１は、復調回路、逆インタリーブ回路、誤り訂正回路等を備えており、映像・音声データを含む高周波ディジタル変調信号のうちから特定周波数の信号を取り出す処理をする。すなわち、ディジタル放送の複数のトランスポンダのなかから一つを選択する処理を行う。デマルチプレクサ（ＤＥＭＵＸ）１３は、前記トランスポート・ストリームを、ＭＰＥＧ２（Ｍｏｖｉｎｇ Ｐｉｃｔｕｒｅ Ｅｘｐｅｒｔｓ Ｇｒｏｕｐ２）のビデオストリーム、オーディオストリーム、及びＰＳＩ／ＳＩ（Ｐｒｏｇｒａｍ Ｓｐｅｃｉｆｉｃ Ｉｎｆｏｒｍａｔｉｏｎ／Ｓｅｒｖｉｃｅ Ｉｎｆｏｒｍａｔｉｏｎ）等に分離し、ビデオストリームを映像信号処理回路１５に出力し、オーディオストリームを音声信号処理回路１７に出力する。なお、ＰＳＩ／ＳＩは必要に応じて制御部４５に取り込まれて処理される。
【００１６】
映像信号処理回路１５はビデオデコーダ等を内蔵しており、入力された可変長符号を復号して量子化係数や動きベクトルを求め、逆ＤＣＴ変換や動きベクトルに基づく動き補償制御等を行って描画処理回路１９に出力する。描画処理回路１９は、映像信号処理回路１１５及びＣＰＵ４５１から出力指示された文字情報や色情報に基づく映像信号（映像データ）を生成する回路であり、奇数フィールドの映像及び偶数フィールドの映像をそれぞれ描画し、各フィールド毎に交互にその描画された映像信号を映像出力回路２０に出力する。映像出力回路２０は、描画処理回路１９からの奇数フィールドの映像信号及び偶数フィールドの映像信号を受け取ってＤ／Ａ変換を行い、例えばコンポジット映像信号に変換して表示デバイス２１に出力し、表示デバイス２１はその映像信号による映像を表示する。
【００１７】
音声信号処理回路１７はオーディオデコーダ等を内蔵しており、入力された符号化信号を復号して音声信号（音声データ）を生成し、更に、その音声信号をＤ／Ａ変換し、例えば右（Ｒ）音のアナログ信号及び左（Ｌ）音のアナログ信号を生成して音声出力回路２２に出力する。音声出力回路２２は右（Ｒ）音及び左（Ｌ）音のアナログ信号を増幅してスピーカー２３に出力し、スピーカー２３から音声が得られる。
【００１８】
チューナー１２、デマルチプレクサ１４、映像信号処理回路１６及び音声信号処理回路１８の構成及びその機能は、上述のチューナー１１、デマルチプレクサ１３、映像信号処理回路１５及び音声信号処理回路１７と同じであり、描画処理回路１９は映像信号処理回路１５，１６の何れか一方の映像信号を選択して映像出力回路２０に出力し、或いは何れか一方の映像信号を主画面とし、他方の映像信号を副画面として合成して描画し、映像出力回路２０に出力する（この場合には２チャンネル分の２つ画面が表示デバイス２１に表示されることになる。）。音声出力回路２２は、音声信号処理回路１７，１８の何れか一方の音声信号を選択してスピーカー２３に出力する。なお、音声出力回路２２は、２チャンネル分の２つ画面が表示デバイス２１に表示されている場合においても、何れか一方のチャンネルの映像信号に対応する音声信号のみを出力する。
【００１９】
次に、図１のデジタル放送受信装置１において、２つの番組を同時に録画する場合について説明する。利用者が操作部４１又はリモートコントローラ４３を操作して２つのチャンネルを選択すると、制御部４５はそのチャンネルの選局信号をインターフェース４２又は受信部４４を介して取り込んで解読し、チューナー１１及び１２に対してそれぞれ選局信号を送信し、チューナー１１及び１２はその選局信号に基づいてチャンネルを設定する。チューナー１１及び１２の出力は、上述の場合と同様に、デマルチプレクサ１３，１４、映像信号処理回路１５，１６及び音声信号処理回路１７，１８を経由してそれぞれ信号処理されて、映像音声合成部３０に入力する。映像音声合成部３０は入力した２つのチャンネルの映像信号及び音声信号をそれぞれ合成する。即ち２つのチャンネルの映像信号を合成するとともに、２つのチャンネルの音声信号を合成する。２つのチャンネルの映像信号については、水平方向の映像信号をそれぞれ半分にして合成し、１つの画面の映像信号とする。即ち、各チャンネルの映像信号を水平方向に圧縮して、それまでの１／２に相当する映像信号を生成し、それらを合成することにより１チャンネル分に相当する映像信号を生成する。また、音声信号についてはそれぞれモノラル信号に変換したものをＬ、Ｒチャンネルの音声信号として処理する。映像音声圧縮エンコーダ３１は、映像音声合成部３０により合成された状態の映像信号を１つの映像信号として扱い、合成された映像信号及び音声信号をハードディスク３２に圧縮して記憶する。
【００２０】
図２は映像音声合成部３０による圧縮及び合成を概念的に示した説明図である。チャンネル１（ｃｈ１）の映像信号とチャンネル２（ｃｈ２）の映像信号とを水平方向に１／２に圧縮し、その圧縮された映像信号を合成して合成された映像信号をハードディスク３２に圧縮して記憶する。このように同時録画するときには、それぞれのチャンネルの水平方向の解像度は１チャンネルのみの録画の半分になる。これは一般のハードディスクレコーダの長時間録画モードに相当する。
【００２１】
図３はハードディスク３２の記録状態を示した図である。同図に示されるように、例えばチャンネル１（ｃｈ１）又はチャンネル２（ｃｈ２）が単独録画の場合には、チャンネル１（ｃｈ１）又はチャンネル２（ｃｈ２）の映像信号がそれぞれ単独で録画される。また、このときの音声信号についても、音声Ｌチャンネル及び音声Ｒチャンネルに、それぞれの該当するチャンネルの音声信号のＬチャンネル及びＲチャンネルの音声信号が記憶される。また、チャンネル１（ｃｈ１）及びチャンネル２（ｃｈ２）の同時録画の場合には、映像信号については、圧縮されて合成されたチャンネル１（ｃｈ１）及びチャンネル２（ｃｈ２）の映像信号が記憶される。音声信号については、チャンネル１（ｃｈ１）の音声信号（Ｌ、Ｒ）をモノラル信号に変換したものを音声Ｌチャンネルに、チャンネル２（ｃｈ２）の音声信号（Ｌ、Ｒ）をモノラル信号に変換したものを音声Ｒチャンネルに記憶する。そして、ハードディスク３２にはその録画が単独録画か、同時録画の何れであるかの情報を記録する。操作部４１等の操作により単独録画か、或いは同時録画の何れであるかが指示されることから、その情報はその指示に基づいて得られる。
【００２２】
図１の操作部４１等により録画された映像の再生の指示及び録画された映像の選択信号（例えば上記の例（図２）ではチャンネル１（ｃｈ１）又はチャンネル２（ｃｈ２）の映像の再生）を指示すると、制御部４５はその指示を読み込んで解析し、映像音声デコーダ３３に対してハードディスク３２から読み込んでデコードするように制御指示を与えるとともに、映像音声分離部３４に対して再生映像選択信号（例えばｃｈ１を選択）を供給する。映像音声デコーダ３３は、単独録画の場合と同様にしてハードディスク３２から映像信号及び音声信号をそれぞれ読み込んでデコードし、映像音声分離部３４に出力する。映像音声分離部３４は、映像音声デコーダ３３からの入力信号には再生映像が同時録画であることの情報が含まれているので、その情報及び再生映像選択信号に基づいて、ハードディスク３２からの映像信号の内、選択された映像を分離して出力する。上記の例（図２）では合成されたチャンネル１（ｃｈ１）の映像信号とチャンネル２（ｃｈ２）の映像信号の内、例えばチャンネル１（ｃｈ１）の映像信号が選択されると、ハードディスク３２からの映像信号（合成映像）からチャンネル１（ｃｈ１）の映像信号を分離して描画処理回路１９に出力する。また、映像音声分離部３４はハードディスク３２からの音声信号（Ｌ、Ｒ）については、再生映像選択信号に基づいて、選択された映像に対応した音声信号を分離して出力する。上記の例（図２）では、チャンネル１（ｃｈ１）の映像信号が選択されると、ハードディスク３２からの音声信号（Ｌ，Ｒ）からチャンネル１（ｃｈ１）の音声信号（音声Ｌチャンネル）を選択して音声出力回路２２に出力する。
【００２３】
描画処理回路１９は、映像音声分離部３４から映像信号を入力すると、所定の処理を施して映像出力回路２０に出力するが、映像音声分離部３４からの映像信号は水平方向に圧縮されているので、水平方向に伸長して奇数フィールド及び偶数フィールドの各フィールドの映像信号を生成し、各フィールド毎に映像出力回路２０出力する。映像出力回路２０はその映像信号に所定の信号処理を施して表示デバイス２１の映像を表示させる。また、音声出力回路２２は映像音声分離部３４から音声信号を入力すると、その音声信号に所定の処理を施してスピーカー２３に出力するが、この音声信号はモノラルの信号であり、スピーカー２３からはモノラルの信号に対応した音声が出力されることになる。
【００２４】
以上のように本実施形態においては、２チャンネル分の映像信号及び音声信号を圧縮して１チャンネル分の映像信号及び音声信号と同様にハードディスク３２に記憶し、再生時においては映像音声分離部３４が再生映像選択信号に基づいて何れか一方のチャンネルの映像信号及び音声信号を分離して出力するようにしたので、１個の映像音声圧縮エンコーダ３１しか組み込まれていなくとも、同時録画が可能になっている。
【００２５】
実施形態２．
なお、上記の実施形態においては、映像記録装置が一体的に組み込まれたデジタル放送受信装置の例について説明したが、本発明は映像記録装置が単体の場合においても適用されるものであり、その場合には、図１の例においては描画処理回路１９、映像出力回路２０及び表示デバイス２１、音声出力回路２２及びスピーカー２３が省略された構成となる。更に、本発明はデジタル放送だけでなく、アナログ放送の受信においても同様に適用される。
【００２６】
また、記録媒体としてハードディスクに記録する例について説明したが、ＤＶＤ等他の記録媒体を用いてもよい。また、表示デバイスとは、液晶パネル、プラズマディスプレイ、ＣＲＴ等の何れでもよい。また、上記の実施形態においては、映像信号を水平方向に圧縮する例について説明したが、縦方向に圧縮してもよい。更に、チューナーを２個設置した例について説明したが、３個以上の複数個配置しても、本発明は同様に適用することができる。
【図面の簡単な説明】
【００２７】
【図１】本発明の実施形態１に係るデジタル放送受信装置の構成を示すブロック図。
【図２】映像の合成及び分離の説明図。
【図３】ハードディスクへの記録状態を示した図。
【符号の説明】
【００２８】
１１，１２ チューナー、１３，１４  デマルチプレクサ、１５，１６  映像信号処理回路、１７，１８ 音声信号処理回路、１９ 描画処理回路、２０ 映像出力回路、２１ 表示デバイス、２２ 音声出力回路、２３ スピーカー、３０ 映像音声合成部、３１ 映像音声圧縮エンコーダ、３２ ハードディスク、３３ 映像音声デコーダ、３４ 映像音声分離部、４１ 操作部、４２ インターフェース、４３ リモートコントローラ、４４ 受信部、４５ 制御部、４６ バス。
【図１】
2006041838.tif 000003
【図２】
2006041838.tif 000004
【図３】
2006041838.tif 000005